(57)【要約】【課題】発光モジュールを連結した複数の電源レールに効率的に取り付ける。【解決手段】一の電源レール２００の電源凸部２１０、信号凸部２１２、及び接地凸部２１４は、他の電源レール２００の電源凹部２２０、信号凹部２２２、及び接地凹部２２４にそれぞれ差し込まれる。これにより、一の電源レール２００と他の電源レール２００は、連結する。一の電源レール２００に取り付けられた移動部３００は、連結凹部３１０を備えている。他の電源レール２００に取り付けられた移動部３００は、連結凸部３０８を備えている。連結凸部３０８は、連結凹部３１０にはめ込まれる。これにより、一の電源レール２００の移動部３００と他の電源レール２００の移動部３００は、連結する。【選択図】図９
2016062776.tif 000002
【特許請求の範囲】
【請求項１】
電源レールと、
前記電源レールに取り付けられた発光モジュールと、
前記電源レールの第１面に前記電源レールの延伸方向に移動可能に取り付けられ、前記延伸方向で前記第１面より長い移動部と、
を備え、
前記移動部は、
第１連結部と、
他の前記電源レールの前記第１連結部に連結する第２連結部と、
を備える発光装置。
【請求項２】
請求項１に記載の発光装置において、
前記第１連結部は、凸部を備え、
前記第２連結部は、他の前記電源レールの前記凸部が入り込む凹部を備える発光装置。
【請求項３】
請求項２に記載の発光装置において、
前記移動部は、前記延伸方向に直交する第１方向で前記第１面から離れる段差を端部に備え、
前記移動部の前記端部は、前記第１方向で前記段差に接する面に前記第１連結部又は前記第２連結部を備える発光装置。
【請求項４】
請求項１〜３のいずれか一項に記載の発光装置において、
前記移動部は、保持凸部を備え、
前記発光モジュールは、前記保持凸部がはめ込まれる保持部を備える発光装置。
【発明の詳細な説明】
【技術分野】
【０００１】
本発明は、発光装置に関する。
【背景技術】
【０００２】
現在、例えば、有機ＥＬ素子（Ｏｒｇａｎｉｃ  Ｅｌｅｃｔｒｏ−Ｌｕｍｉｎｅｓｃｅｎｃｅ）素子又はＬＥＤ（Ｌｉｇｈｔ  Ｅｍｉｔｔｉｎｇ  Ｄｉｏｄｅ）を用いた照明パネル（発光モジュール）が開発されている。そしてこのような発光モジュールを任意の位置に取り付けるための電源レールが開発されている。
【０００３】
特許文献１には、複数の電源レールを連結する方法の一例が記載されている。特許文献１では、発光モジュールが一の電源レールと他の電源レールを跨るように取り付けられている。これにより、複数の電源レールが連結している。特許文献２にも、複数の電源レールを連結する方法の一例が記載されている。
【０００４】
特許文献２では、一の電源レールと他の電源レールを繋げる配線器具が用いられている。具体的には、特許文献２では、一の電源レールと他の電源レールが連結する場合、上記した配線器具がこれらの電源レールの間に位置する。そして上記した配線器具は、一の電源レールと他の電源レールを電気的に接続するとともに、連結している。
【先行技術文献】
【特許文献】
【０００５】
【特許文献１】特開２００７−３１７５７５号公報
【特許文献２】特開２００３−１９７０２６号公報
【発明の概要】
【発明が解決しようとする課題】
【０００６】
上記したように、複数の電源レールを連結することがある。そしてこれら複数の電源レールには発光モジュールが保持される。本発明者は、このような発光モジュールを連結した複数の電源レールに効率的に取り付ける方法を検討した。
【０００７】
本発明が解決しようとする課題としては、発光モジュールを連結した複数の電源レールに効率的に取り付けることが一例として挙げられる。
【課題を解決するための手段】
【０００８】
請求項１に記載の発明は、
電源レールと、
前記電源レールに取り付けられた発光モジュールと、
前記電源レールの第１面に前記電源レールの延伸方向に移動可能に取り付けられ、前記延伸方向で前記第１面より長い移動部と、
を備え、
前記移動部は、
第１連結部と、
他の前記電源レールの前記第１連結部に連結する第２連結部と、
を備える発光装置である。
【図面の簡単な説明】
【０００９】
【図１】実施形態に係る発光モジュールの発光面の構成を示す斜視図である。
【図２】実施形態に係る発光モジュールの裏面の構成を示す斜視図である。
【図３】実施形態に係る電源レールの構成を示す第１の斜視図である。
【図４】実施形態に係る電源レールの構成を示す第２の斜視図である。
【図５】移動部の移動方法を示す図である。
【図６】発光モジュールを電源レールに取り付ける方法を示す図である。
【図７】発光モジュールを電源レールに取り付ける方法を示す図である。
【図８】保持部と保持凸部の関係の一例を示す図である。
【図９】一の電源レールを他の電源レールに連結する方法を示す図である。
【図１０】一の電源レールを他の電源レールに連結する方法を示す図である。
【図１１】一の電源レールを他の電源レールに連結する方法を示す図である。
【図１２】（ａ）は、連結凸部の構成の詳細を示す斜視図であり、（ｂ）は、連結凸部の構成の詳細を示す平面図である。
【図１３】実施形態に係る発光装置の構成を示す図である。
【図１４】図１３に示した発光装置を組み立てる方法を示す図である。
【図１５】図１３に示した発光装置を組み立てる方法を示す図である。
【図１６】図１３に示した発光装置の使用方法の一例を示す図である。
【図１７】図２の変形例を示す図である。
【図１８】図１７に示した発光モジュールを電源レールに取り付ける方法を示す図である。
【図１９】図１７に示した発光モジュールを電源レールに取り付ける方法を示す図である。
【図２０】互いに連結する連結凸部及び連結凹部の変形例を示す図である。
【図２１】実施例１に係る端子台の構成を示す斜視図である。
【図２２】実施例１に係る発光システムの構成を示す図である。
【図２３】実施例２に係る発光システムに用いられる一の電源レールの一部の構成を示す斜視図である。
【図２４】実施例２に係る発光システムに用いられる他の電源レールの一部の構成を示す斜視図である。
【図２５】実施例２に係る発光システムの構成を示す図である。
【発明を実施するための形態】
【００１０】
以下、本発明の実施の形態について、図面を用いて説明する。尚、すべての図面において、同様な構成要素には同様の符号を付し、適宜説明を省略する。
【００１１】
図１は、実施形態に係る発光モジュール１００の発光面１０２の構成を示す斜視図である。本図に示すように、発光モジュール１００は、基板１０６及び発光部１０８を備えている。発光部１０８は、発光モジュール１００の発光面１０２に設けられている。なお、発光面１０２とは逆側の面（裏面１０４）の詳細については、図２を用いて後述する。
【００１２】
本図に示す例において、基板１０６は、平面形状が矩形である。発光部１０８は、基板１０６に搭載されている。発光部１０８は、面光源として機能している。特に本図に示す例では、発光部１０８は、基板１０６の全面に設けられている。具体的には、本図に示す例において、発光部１０８は、有機ＥＬパネルである。
【００１３】
なお、発光部１０８は、有機ＥＬパネルに限定されるものではない。発光部１０８は、例えば、ＬＥＤパネルであってもよい。以下、発光部１０８は有機ＥＬパネルであるとして説明する。
【００１４】
図２は、本実施形態に係る発光モジュール１００の裏面１０４の構成を示す斜視図である。本図に示すように、発光モジュール１００は、電源端子１１０、信号端子１１２、接地端子１１４、駆動回路１１６、及び保持部１１８を裏面１０４に備えている。
【００１５】
電源端子１１０は、発光部１０８の電源電圧を外部から受けるための端子である。接地端子１１４は、発光部１０８を接地するための端子である。電源端子１１０及び接地端子１１４によって、発光部１０８の駆動電圧が与えられる。信号端子１１２は、発光モジュール１００の制御信号（例えば、ＰＷＭ（Ｐｕｌｓｅ  Ｗｉｄｔｈ  Ｍｏｄｕｌａｔｉｏｎ）信号）を外部から受けるための端子である。信号端子１１２によって、発光部１０８の輝度が制御される。なお、発光部１０８の輝度を制御しない場合は、信号端子１１２を設けなくてもよい。
【００１６】
本図に示す例において、電源端子１１０、信号端子１１２、及び接地端子１１４は、この順で並んでいる。そして電源端子１１０、信号端子１１２、及び接地端子１１４の各々は、裏面１０４から突出した形状を有している。具体的には、電源端子１１０、信号端子１１２、及び接地端子１１４の各々は、裏面１０４に立てた板状部材である。そして本図に示す例において、各板状部材（電源端子１１０、信号端子１１２、及び接地端子１１４の各々）は、電源端子１１０、信号端子１１２、及び接地端子１１４が並ぶ方向に厚さ方向を有している。なお、電源端子１１０、信号端子１１２、及び接地端子１１４は、導電部材（例えば、金属）により形成されている。
【００１７】
電源端子１１０、信号端子１１２、及び接地端子１１４を介して互いに対向する領域の一方には、駆動回路１１６が設けられている。駆動回路１１６は、発光モジュール１００に与えられる駆動電圧（定電圧）を駆動電流（定電流）に変換する。この駆動電流は、発光部１０８の駆動に用いられる。
【００１８】
電源端子１１０、信号端子１１２、及び接地端子１１４を介して互いに対向する領域の他方には、保持部１１８が設けられている。詳細を後述するように、保持部１１８は、発光モジュール１００を保持するための部材である。本図に示す例において、保持部１１８の一部と裏面１０４の間には、空間１２０が形成されている。言い換えると、保持部１１８の一部は、空間１２０を介して裏面１０４に対向している。そして本図に示すように、空間１２０は、外側に向かって開いた開口を、互いに交わる２面に沿って有している。
【００１９】
図３は、本実施形態に係る電源レール２００の構成を示す第１の斜視図である。本図に示すように、電源レール２００は、延伸部材２０２を備えている。本図に示す例において、延伸部材２０２は、延伸方向に垂直な断面が矩形となっている。そして延伸部材２０２は、絶縁材料（例えば、樹脂）によって形成されている。
【００２０】
延伸部材２０２は、電源溝２０４、信号溝２０６、及び接地溝２０８を一の側面（側面２５２）に備えている。電源溝２０４、信号溝２０６、及び接地溝２０８は、いずれも延伸部材２０２の延伸方向に延伸している。本図に示す例において、電源溝２０４、信号溝２０６、及び接地溝２０８は、この順で並んでいる。詳細を後述するように、電源溝２０４、信号溝２０６、及び接地溝２０８には、発光モジュール１００の電源端子１１０、信号端子１１２、及び接地端子１１４（図２）がそれぞれ差し込まれる。
【００２１】
延伸部材２０２は、側面２５２が向いている方向と交わる方向を向いている側面（側面２５４）に、移動部３００、第１止め部材２１６、及び第２止め部材２１８を備えている。本図に示す例において、第１止め部材２１６及び第２止め部材２１８は、延伸部材２０２の延伸方向に互いに離間して配置されている。詳細を後述するように、移動部３００は、第１止め部材２１６及び第２止め部材２１８によって、延伸部材２０２の延伸方向に移動可能に側面２５４に取り付けられている。
【００２２】
延伸部材２０２は、一の端面（端面２５６）に、電源凸部２１０、信号凸部２１２、及び接地凸部２１４を備えている。本図に示す例では、電源溝２０４、信号溝２０６、及び接地溝２０８が並ぶ方向で見て、電源溝２０４、信号溝２０６、及び接地溝２０８と同じ順で、電源凸部２１０、信号凸部２１２、及び接地凸部２１４が並んでいる。詳細を後述するように、一の電源レール２００は、電源凸部２１０、信号凸部２１２、及び接地凸部２１４を介して他の電源レール２００に連結することができる。さらに、一の電源レール２００は、電源凸部２１０、信号凸部２１２、及び接地凸部２１４を介して他の電源レール２００に電気的に接続することができる。なお、電源凸部２１０、信号凸部２１２、及び接地凸部２１４は、導電部材（例えば、金属）により形成されている。
【００２３】
本図に示すように、電源レール２００には、移動部３００が取り付けられている。そして移動部３００は、移動部材３０２及び連結部材３０４を備えている。移動部材３０２及び連結部材３０４は、一体に形成されている。具体的には、連結部材３０４は、一部が移動部材３０２の端部から突出するように移動部材３０２に形成されている。
【００２４】
移動部材３０２は、長尺状部材である。移動部材３０２は、移動部材３０２の延伸方向と電源レール２００の延伸方向が同一方向になるように、電源レール２００の側面２５４に取り付けられている。そして本図に示す例では、移動部材３０２は、側面２５２及び側面２５４に共通する辺に隣り合うように側面２５４に取り付けられている。
【００２５】
移動部材３０２は、移動部材３０２の延伸方向に沿って配置された複数の保持凸部３０６を備えている。詳細を後述するように、保持凸部３０６は、発光モジュール１００の保持部１１８によって形成された空間１２０（図２）に入り込むことができる。そして保持凸部３０６を発光モジュール１００の保持部１１８（図２）にはめ込むことで、発光モジュール１００（図２）を電源レール２００に保持することができる。
【００２６】
移動部材３０２は、第１穴３１２及び第２穴３１４を備えている。本図に示すように、第１穴３１２及び第２穴３１４は、移動部材３０２の延伸方向に互いに離れて配置されている。第１穴３１２及び第２穴３１４の各々は、移動部材３０２を貫通している。そして第１穴３１２及び第２穴３１４には、第１止め部材２１６及び第２止め部材２１８がそれぞれ差し込まれている。詳細を後述するように、移動部材３０２は、第１穴３１２、第２穴３１４、第１止め部材２１６、及び第２止め部材２１８を利用することで、電源レール２００の延伸方向に移動可能に電源レール２００に取り付けられている。
【００２７】
なお、後述するように、移動部材３０２は、第１穴３１２（第２穴３１４）の平面形状に沿って移動する。このため、移動部材３０２を電源レール２００の延伸方向に安定して移動させるためには、第１穴３１２及び第２穴３１４は、移動部材３０２の延伸方向に互いに離して配置することが好ましい。そしてこの場合、第１穴３１２及び第２穴３１４の配置間隔はできる限り広いことが好ましい。
【００２８】
移動部３００は、連結凸部３０８（第１連結部）及び連結凹部３１０（第２連結部）を備えている。連結凸部３０８及び連結凹部３１０は、移動部３００の延伸方向で見た場合に互いに離れて配置されている。詳細を後述するように、一の移動部３００の連結凸部３０８は、他の移動部３００の連結凹部３１０に連結することができる。同様にして、一の移動部３００の連結凹部３１０は、他の移動部３００の連結凸部３０８に連結することができる。これにより、複数の移動部３００を連結することができる。なお、本図に示す例では、連結凸部３０８及び連結凹部３１０は、移動部３００の延伸方向に延伸する一直線上に位置している。ただし、連結凸部３０８及び連結凹部３１０は、移動部３００の延伸方向から見た場合、互いにずれて配置されていてもよい。
【００２９】
本図に示す例では、電源レール２００の延伸方向において、移動部３００は、電源レール２００の側面２５４（延伸部材２０２）よりも長い。このため、延伸部材２０２の一端と移動部３００の一端を揃えても、延伸部材２０２の他端から移動部３００の他端を突出させることができる。これにより、詳細を後述するように、一の電源レール２００の連結凸部３０８と他の電源レール２００の連結凹部３１０を連結することができる。
【００３０】
なお、移動部３００は、操作凸部３１６を端部（連結部材３０４）に備えている。ユーザは、操作凸部３１６を例えばつまむことができる。これにより、ユーザは、操作凸部３１６を介して移動部３００を電源レール２００に沿って移動させることができる。
【００３１】
図４は、本実施形態に係る電源レール２００の構成を示す第２の斜視図である。本図に示すように、延伸部材２０２は、端面２５６とは逆側の端面（端面２５８）に、電源凹部２２０、信号凹部２２２、及び接地凹部２２４を備えている。本図に示す例では、電源溝２０４、信号溝２０６、及び接地溝２０８が並ぶ方向で見て、電源凸部２１０、信号凸部２１２、及び接地凸部２１４と同じ順で、電源凹部２２０、信号凹部２２２、及び接地凹部２２４が並んでいる。
【００３２】
一の電源レール２００の電源凸部２１０、信号凸部２１２、及び接地凸部２１４は、他の電源レール２００の電源凹部２２０、信号凹部２２２、及び接地凹部２２４にそれぞれ差し込むことができる。これにより、一の電源レール２００を他の電源レール２００に連結することができる。さらに、電源凹部２２０、信号凹部２２２、及び接地凹部２２４のそれぞれの内側面及び底面には、導電膜（例えば、金属膜）が形成されている。これにより、一の電源レール２００を他の電源レール２００に電気的に接続することができる。
【００３３】
図５は、移動部３００の移動方法を示す図である。本図（ａ）は、移動部３００の移動方向に垂直な方向に沿った断面図である。本図（ｂ）は、移動部３００の移動方向に沿った断面図である。本図（ａ）及び（ｂ）を用いて、移動部３００の第１穴３１２及び電源レール２００の第１止め部材２１６について説明する。なお、第２穴３１４及び第２止め部材２１８は、それぞれ、第１穴３１２及び第１止め部材２１６と同様の構成を有している。さらに本図（ａ）において、黒丸を中央に有する白丸印は紙面手前側に伸びる方向を示し、ｘ印を内側に有する白丸印は紙面奥側に伸びる方向を示す。
【００３４】
本図（ａ）に示すように、第１止め部材２１６は、第１穴３１２から突出している部分の幅が第１穴３１２の幅よりも広い。これにより、移動部３００が電源レール２００から取り外れることが防止される。一方、第１止め部材２１６は、移動部材３０２を貫通している部分の幅が第１穴３１２の幅よりも若干狭い。このため、本図（ｂ）を用いて後述するように、移動部３００は電源レール２００に対して移動することができる。
【００３５】
本図（ｂ）に示すように、第１穴３１２は、移動部材３０２の延伸方向に延伸している。そして第１止め部材２１６は、第１穴３１２を貫通している部分の幅が第１穴３１２の長さよりも狭い。これにより、本図（ｂ）に示すように、第１穴３１２の内側面と第１止め部材２１６の間には、隙間が生じる。この場合、移動部３００は、この隙間の分だけ電源レール２００の延伸方向に沿って移動することができる。
【００３６】
なお、本図（ａ）及び（ｂ）に示す例では、第１止め部材２１６（第２止め部材２１８）は、延伸部材２０２と一体に形成されている。ただし、第１止め部材２１６（第２止め部材２１８）は、これに限定されるものではない。例えば、第１止め部材２１６（第２止め部材２１８）は、延伸部材２０２のネジ穴にねじ込まれたネジであってもよい。
【００３７】
図６及び図７の各図は、発光モジュール１００を電源レール２００に取り付ける方法を示す図である。なお、図６及び図７では、説明のため、一部の構成（例えば、電源端子１１０、信号端子１１２、及び接地端子１１４（図２））を図示していない。
【００３８】
まず、図６に示すように、発光モジュール１００の電源端子１１０、信号端子１１２、及び接地端子１１４（図２）を電源レール２００の電源溝２０４、信号溝２０６、及び接地溝２０８にそれぞれ差し込む。これにより、発光モジュール１００の保持部１１８によって形成されている空間（空間１２０）の開口の一部が移動部３００の保持凸部３０６と対向する。
【００３９】
次いで、図７に示すように、保持凸部３０６を電源レール２００の延伸方向に移動させる。これにより、保持凸部３０６が空間１２０に入り込む。結果、保持凸部３０６が保持部１１８にはめ込まれる。このようにして、発光モジュール１００は電源レール２００に保持される。
【００４０】
図８は、保持部１１８と保持凸部３０６の関係の一例を示す図である。本図は、電源レール２００の延伸方向に垂直な断面図である。本図に示す例では、図７に示したように、保持凸部３０６が保持部１１８にはめ込まれている。
【００４１】
本図に示すように、保持凸部３０６は、発光モジュール１００の裏面１０４上に位置している。そして保持凸部３０６は、裏面１０４に垂直な方向で裏面１０４の一部と保持部１１８の一部によって挟まれている。これにより、発光モジュール１００は、裏面１０４に垂直な方向に強く保持される。
【００４２】
なお、本図に示す例では、保持凸部３０６は、延伸部材２０２の側面２５４に垂直な方向で移動部材３０２の一部と保持部１１８の一部によって挟まれている。この場合、延伸部材２０２の側面２５４に垂直な方向の力が発光モジュール１００に加わったとしても、この力は、発光モジュール１００の各端子（電源端子１１０、信号端子１１２、及び接地端子１１４（図２））だけでなく、保持凸部３０６にも加わる。これにより、上記した力が発光モジュール１００の上記した端子にのみ集中することが抑制される。
【００４３】
図９〜図１１の各図は、一の電源レール２００を他の電源レール２００に連結する方法を示す図である。まず、図９に示すように、一の電源レール２００の端面２５６と他の電源レール２００の端面２５８を対向させる。これにより、一の電源レール２００の電源凸部２１０、信号凸部２１２、及び接地凸部２１４が他の電源レール２００の電源凹部２２０、信号凹部２２２、及び接地凹部２２４にそれぞれ対向する。
【００４４】
本図に示す例では、移動部３００は、電源レール２００の延伸方向に直交する方向で電源レール２００から離れる段差（段差３１８）を端部（連結部材３０４）に備えている。さらにこの端部（連結部材３０４）は、電源レール２００の延伸方向に直交する方向で段差３１８に面する面に連結凹部３１０を備えている。これにより、図１０及び図１１を用いて後述するように、段差３１８が位置する領域に他の移動部３００の移動部材３０２が入り込むことができる。
【００４５】
次いで、図１０に示すように、電源凸部２１０、信号凸部２１２、及び接地凸部２１４を電源凹部２２０、信号凹部２２２、及び接地凹部２２４にそれぞれ差し込む。この場合、連結部材３０４の先端と連結凸部３０８と衝突しないように連結部材３０４を撓らせる。これにより、一の電源レール２００と他の電源レール２００が上記した凸部及び上記した凹部を介して連結する。さらに、一の電源レール２００と他の電源レール２００が上記した凸部及び上記した凹部を介して電気的に互いに接続する。なお、本図に示すように連結部材３０４を撓らせる場合は、連結部材３０４は適当な可撓性を有する材料（例えば、樹脂）により形成されていることが好ましい。
【００４６】
次いで、図１１に示すように、連結凸部３０８を連結凹部３１０にはめ込む（連結凸部３０８を連結凹部３１０にはめ込む方法の詳細は、図１２を用いて後述する。）。これにより、一の電源レール２００の移動部３００と他の電源レール２００の移動部３００が連結する。つまり、移動部３００は、その延伸方向に直交する第１方向で段差を端部に備えている。移動部３００の端部は、第１方向で段差に接する面に連結凸部３０８（第１連結部）又は連結凹部３１０（第２連結部）を備える構造となっている。
【００４７】
図１２（ａ）は、連結凸部３０８の構成の詳細を示す斜視図である。図１２（ｂ）は、連結凸部３０８の構成の詳細を示す平面図である。本図（ａ）に示すように、連結凸部３０８は、凸部３２０及び止め部材３２２を備えている。凸部３２０は、移動部材３０２の表面から突出した突出部である。連結凸部３０８は、凸部３２０を介して移動部材３０２とは反対側に止め部材３２２を備えている。止め部材３２２は、弾性変形が可能な材料（例えば、樹脂）により形成されている。
【００４８】
本図（ａ）に示すように、凸部３２０に近づくにつれて、止め部材３２２は、凸部３２０の突出方向に垂直な断面形状の大きさが大きくなっている。そして止め部材３２２の下端の形状は、連結凹部３１０（図９〜図１１）の平面形状よりも大きい。さらに、本図（ｂ）に示すように、止め部材３２２の表面には、互いに交わる切れ込み３２４，３２６が形成されている。この場合、切れ込み３２４，３２６によって分割される各領域は、剛性が小さいものになる。これにより、図１０及び図１１に示したように連結凸部３０８を連結凹部３１０にはめ込む場合、止め部材３２２は、連結凹部３１０を通過する方向に変形しやすい。このため、連結凸部３０８を連結凹部３１０にはめ込みやすくなる。
【００４９】
さらに、本図（ａ）に示すように、止め部材３２２は、凸部３２０の突出方向で見た場合、凸部３２０を内側に含んでいる。これにより、図１１に示したように止め部材３２２が連結凹部３１０を通過した場合、止め部材３２２が連結凹部３１０から容易に抜けることが抑制される。
【００５０】
図１３は、本実施形態に係る発光装置１０の構成を示す図である。本図に示すように、発光装置１０は、複数の発光モジュール１００及び複数の電源レール２００を備えている。本図に示す例では、複数の電源レール２００が連結している。そして１本の電源レール２００に対して１つの発光モジュール１００が取り付けられている。ただし、１本の電源レール２００に対して複数の発光モジュール１００を取り付けてもよい。
【００５１】
本図に示す例では、電源レール２００の電源溝２０４、信号溝２０６、及び接地溝２０８に発光モジュール１００の電源端子１１０、信号端子１１２、及び接地端子１１４がそれぞれ差し込まれている。複数の電源レール２００は、図９〜図１１に示した例と同様にして連結している。複数の電源レール２００それぞれには、移動部３００が取り付けられている。そして複数の移動部３００は、図９〜図１１に示した例と同様にして連結している。発光モジュール１００は、図６〜図８に示した例と同様にして、保持部１１８及び保持凸部３０６を介して電源レール２００に保持されている。
【００５２】
図１４及び図１５の各図は、図１３に示した発光装置１０を組み立てる方法を示す図である。まず、図９〜１１に示すように、一の電源レール２００の電源凸部２１０、信号凸部２１２、及び接地凸部２１４を他の電源レール２００の電源凹部２２０、信号凹部２２２、及び接地凹部２２４にそれぞれ差し込む。さらに、図９〜１１に示すように、一の電源レール２００の連結凹部３１０に他の電源レール２００の連結凸部３０８をはめ込む。これにより、一の電源レール２００と他の電源レール２００が連結する。さらに、一の電源レール２００の移動部３００と他の電源レール２００の移動部３００が連結する。
【００５３】
次いで、図１４に示すように、複数の移動部３００を移動させる。本図に示す例において、移動部３００の移動方向は、保持凸部３０６が発光モジュール１００の保持部１１８に入り込む方向（図１５を用いて後述）とは反対方向である。これにより、移動部３００は、保持凸部３０６が保持部１１８に入り込む方向（図１５を用いて後述）に移動することができる状態となる。さらに本図に示す例では、複数の移動部３００は連結している。このため、一の移動部３００は他の移動部３００に連動して移動することができる。言い換えると、一の移動部３００を移動させるだけで、複数の移動部３００を移動させることができる。
【００５４】
次いで、図１５に示すように、発光モジュール１００の電源端子１１０、信号端子１１２、及び接地端子１１４を電源レール２００の電源溝２０４、信号溝２０６、及び接地溝２０８に差し込む。次いで、保持凸部３０６が保持部１１８に入り込む方向に移動部３００を移動させる。これにより、保持凸部３０６は保持部１１８にはめ込まれる。本図に示す例では、複数の移動部３００は連結している。このため、一の移動部３００は他の移動部３００に連動して移動することができる。言い換えると、一の移動部３００を移動させるだけで、複数の移動部３００を移動させることができる。
【００５５】
図１６は、図１３に示した発光装置１０の使用方法の一例を示す図である。本図に示すように、発光装置１０は面５００に設けられている。面５００は、鉛直方向において下を向いている。具体的には、面５００は、例えば、天井である。面５００には、電源レール２００が取り付けられている。そして鉛直方向において下に向かう方向に、電源レール２００及び発光モジュール１００がこの順で並んでいる。
【００５６】
本図に示す例において、発光モジュール１００は、発光モジュール１００が電源レール２００から取り外れる方向に重力を常に受けている。一方で本図に示す例では、図８を用いて説明したように、保持凸部３０６及び保持部１１８によって、発光モジュール１００は、発光モジュール１００の裏面１０４に垂直な方向（言い換えると、鉛直方向）に電源レール２００に強く保持されている。このため、本図に示す例では、発光モジュール１００が電源レール２００から取り外れることが抑制されている。
【００５７】
以上、本実施形態によれば、一の電源レール２００の移動部３００と他の電源レール２００の移動部３００を連結することができる。これにより、連結した複数の移動部３００を用いて複数の電源レール２００それぞれに取り付けられた発光モジュール１００をまとめて保持することができる。
【００５８】
図１７は、図２の変形例を示す図である。本図に示す例に係る発光モジュール１００は、以下の点を除いて、図２に示した例に係る発光モジュール１００と同様の構成である。
【００５９】
本図に示すように、発光モジュール１００（基板１０６）は、裏面１０４を横切る溝１２２を備えている。そして溝１２２の底面には、電源端子１１０、信号端子１１２、及び接地端子１１４が位置している。電源端子１１０、信号端子１１２、及び接地端子１１４は、溝１２２の幅方向にこの順で並んでいる。さらに本図に示す例では、電源端子１１０、信号端子１１２、及び接地端子１１４の各々は、溝１２２の幅方向に厚さ方向を有する板状部材である。図１８及び図１９を用いて後述するように、溝１２２は、発光モジュール１００が電源レール２００に取り付けられるとき、電源レール２００の延伸部材２０２を覆う。
【００６０】
さらに、発光モジュール１００（基板１０６）は、内側面の一部が溝１２２の側面に繋がっている凹部１２４を裏面１０４に備えている。本図に示す例において、凹部１２４は溝１２２と同じ深さを有している。さらに、発光モジュール１００（基板１０６）は、溝１２２の延伸方向で凹部１２４に隣り合う空間１２０を備えている。本図に示すように、空間１２０は、溝１２２に繋がる開口及び凹部１２４に繋がる開口を、互いに交わる２面に沿って有している。さらに、空間１２０は、基板１０６の一部（保持部１１８）によって覆われている。図１８及び図１９を用いて後述するように、空間１２０には、電源レール２００の保持凸部３０６が入り込む。
【００６１】
なお、本図に示す例では、溝１２２を形成するために、基板１０６の膜厚は厚いものとなっている。このため、本図に示す例では、駆動回路１１６を基板１０６の内部に設けている。
【００６２】
図１８及び図１９の各図は、図１７に示した発光モジュール１００を電源レール２００に取り付ける方法を示す図である。なお、図１８及び図１９では、本実施形態に係る電源レール２００（図３及び図４）が用いられている。また、図１８及び図１９では、説明のため、一部の構成（例えば、電源端子１１０、信号端子１１２、及び接地端子１１４（図２））を図示していない。
【００６３】
まず、図１８に示すように、発光モジュール１００の電源端子１１０、信号端子１１２、及び接地端子１１４（図２）を電源レール２００の電源溝２０４、信号溝２０６、及び接地溝２０８にそれぞれ差し込む。この場合、発光モジュール１００の溝１２２は、電源レール２００を覆う。さらに、電源レール２００の保持凸部３０６は、発光モジュール１００の凹部１２４に入り込む。
【００６４】
次いで、図１９に示すように、保持凸部３０６を電源レール２００の延伸方向に移動させる。これにより、保持凸部３０６が空間１２０に入り込む。結果、保持凸部３０６が保持部１１８にはめ込まれる。このようにして、発光モジュール１００は電源レール２００に保持される。
【００６５】
図１７〜図１９に示した例においても、本実施形態と同様にして、連結した複数の移動部３００を用いて複数の電源レール２００それぞれに取り付けられた発光モジュール１００をまとめて保持することができる。
【００６６】
図２０は、互いに連結する連結凸部３０８及び連結凹部３１０の変形例を示す図である。本図に示すように、移動部３００は、連結部材３０４に連結凸部３０８を備えていてもよい。詳細には、本図に示すように、移動部３００は、電源レール２００の延伸方向に直交する方向で電源レール２００から離れる段差（段差３１８）を端部（連結部材３０４）に備えている。さらにこの端部（連結部材３０４）は、電源レール２００の延伸方向に直交する方向で段差３１８に面する面に連結凸部３０８を備えている。この場合、移動部３００は、連結部材３０４とは反対側の端部に連結凹部３１０を備える。この場合においても、連結凸部３０８及び連結凹部３１０を介して一の移動部３００と他の移動部３００を連結することができる。
【実施例】
【００６７】
（実施例１）
図２１は、実施例１に係る端子台４００の構成を示す斜視図である。図２２を用いて後述するように、端子台４００は、外部から電源電圧、制御信号、及び接地電位を電源レール２００に与えるために用いられる。本図に示すように、端子台４００は、電源端子４１２、信号端子４１４、及び接地端子４１６を備えている。さらに端子台４００は、電源凹部４２２、信号凹部４２４、及び接地凹部４２６を備えている。電源凹部４２２、信号凹部４２４、及び接地凹部４２６には、電源レール２００の電源凸部２１０、信号凸部２１２、及び接地凸部２１４（図３及び図４）がそれぞれ差し込まれる。
【００６８】
図２２は、本実施例に係る発光システム２０の構成を示す図である。本図に示すように、発光システム２０は、発光装置１０、外部電源３０、及び調光器４０を備えている。本図に示す例において、発光装置１０は、複数の発光モジュール１００、複数の電源レール２００、及び端子台４００を備えている。具体的には、端子台４００を先頭にして、複数の電源レール２００が連結している。そして複数の電源レール２００それぞれには、発光モジュール１００が取り付けられている。
【００６９】
本図に示すように、外部電源３０は、端子台４００の電源端子４１２及び接地端子４１６に接続している。これにより、連結している複数の電源レール２００に端子台４００を介して発光モジュール１００の駆動電圧が与えられる。さらに、調光器４０は、端子台４００の信号端子４１４及び接地端子４１６に接続している。これにより、連結している複数の電源レール２００に端子台４００を介して発光モジュール１００の制御信号が与えられる。
【００７０】
（実施例２）
図２３は、実施例２に係る発光システム２０（図２５を用いて後述）に用いられる一の電源レール２００の一部の構成を示す斜視図である。本図に示すように、電源レール２００は、側面２５４（移動部３００が取り付けられた側面）と反対側の側面に凸部２３０を備えている。そして凸部２３０には、電源端子２３２、信号端子２３４、及び接地端子２３６が設けられている。後述するように、電源端子２３２、信号端子２３４、及び接地端子２３６は、外部から電源レール２００に電源電圧、制御信号、及び接地電位をそれぞれ与えるために用いられる。
【００７１】
図２４は、本実施例に係る発光システム２０（図２５を用いて後述）に用いられる他の電源レール２００の一部の構成を示す斜視図である。本図に示す例に係る電源レール２００は、電源溝２０４が外部と電気的に接続することができない点を除いて、図２３に示した例に係る電源レール２００と同様の構成である。言い換えると、本図に示す例では、電源溝２０４に電圧を与えるための電源凸部２１０が電源溝２０４に電圧を与える機能を果たしていない。具体的には、例えば、電源凸部２１０は、絶縁材料により形成されている。あるいは、例えば、電源凸部２１０は、電源溝２０４に電気的に接続していない。
【００７２】
図２５は、本実施例に係る発光システム２０の構成を示す図である。本図に示す例では、第１の電源レール２００（Ｌ１）の電源凸部２１０、信号凸部２１２、及び接地凸部２１４を先頭として、第１の電源レール２００（Ｌ１）、第２の電源レール２００（Ｌ２）、及び第３の電源レール２００（Ｌ３）がこの順で連結している。そして第１の電源レール２００（Ｌ１）及び第３の電源レール２００（Ｌ３）それぞれに発光モジュール１００が取り付けられている。そして本図に示す例では、第１の外部電源３０が第１の電源レール２００（Ｌ１）の電源端子２３２及び接地端子２３６に接続している。さらに調光器４０が第１の電源レール２００（Ｌ１）の信号端子２３４及び接地端子２３６に接続している。そして第２の外部電源３０が第３の電源レール２００（Ｌ３）の電源端子２３２及び接地端子２３６に接続している。
【００７３】
本図に示す例において、第１の電源レール２００（Ｌ１）及び第２の電源レール２００（Ｌ２）それぞれは、図２３に示した電源レール２００である。これに対して第３の電源レール２００（Ｌ３）は、図２４に示した電源レール２００である。これにより、第３の電源レール２００（Ｌ３）の電源溝２０４は、第１の電源レール２００（Ｌ１）の電源溝２０４及び第２の電源レール２００（Ｌ２）の電源溝２０４に電気的に接続していない。このため、本図に示すように、第１の電源レール２００（Ｌ１）に接続する外部電源３０と第３の電源レール２００（Ｌ３）に接続する外部電源３０は、異なるものにすることができる。一方、本図に示す例では、いずれの電源レール２００も、同一の調光器４０に電気的に接続している。
【００７４】
本実施例によれば、連結した複数の電源レール２００に多数の発光モジュール１００が取り付けられている場合であっても、各発光モジュール１００に十分な電力を供給することができる。連結した複数の電源レール２００に対して外部電源３０が１つしか与えられない場合、各電源レール２００の発光モジュール１００に十分な電力を供給することができないことがある。これに対して本実施例によれば、連結した複数の電源レール２００それぞれに外部電源３０を設けることができる。これにより、各発光モジュール１００に十分な電力を供給することができる。
【００７５】
以上、図面を参照して実施形態及び実施例について述べたが、これらは本発明の例示であり、上記以外の様々な構成を採用することもできる。
【符号の説明】
【００７６】
１０ 発光装置
２０ 発光システム
３０ 外部電源
４０ 調光器
１００ 発光モジュール
１０２ 発光面
１０４ 裏面
１０６ 基板
１０８ 発光部
１１０ 電源端子
１１２ 信号端子
１１４ 接地端子
１１６ 駆動回路
１１８ 保持部
１２０ 空間
１２２ 溝
１２４ 凹部
２００ 電源レール
２０２ 延伸部材
２０４ 電源溝
２０６ 信号溝
２０８ 接地溝
２１０ 電源凸部
２１２ 信号凸部
２１４ 接地凸部
２１６ 第１止め部材
２１８ 第２止め部材
２２０ 電源凹部
２２２ 信号凹部
２２４ 接地凹部
２３０ 凸部
２３２ 電源端子
２３４ 信号端子
２３６ 接地端子
２５２ 側面
２５４ 側面
２５６ 端面
２５８ 端面
３００ 移動部
３０２ 移動部材
３０４ 連結部材
３０６ 保持凸部
３０８ 連結凸部
３１０ 連結凹部
３１２ 第１穴
３１４ 第２穴
３１６ 操作凸部
３１８ 段差
３２０ 凸部
３２２ 止め部材
３２４ 切れ込み
３２６ 切れ込み
４００ 端子台
４１２ 電源端子
４１４ 信号端子
４１６ 接地端子
４２２ 電源凹部
４２４ 信号凹部
４２６ 接地凹部
５００ 面
【図１】
2016062776.tif 000003
【図２】
2016062776.tif 000004
【図３】
2016062776.tif 000005
【図４】
2016062776.tif 000006
【図５】
2016062776.tif 000007
【図６】
2016062776.tif 000008
【図７】
2016062776.tif 000009
【図８】
2016062776.tif 000010
【図９】
2016062776.tif 000011
【図１０】
2016062776.tif 000012
【図１１】
2016062776.tif 000013
【図１２】
2016062776.tif 000014
【図１３】
2016062776.tif 000015
【図１４】
2016062776.tif 000016
【図１５】
2016062776.tif 000017
【図１６】
2016062776.tif 000018
【図１７】
2016062776.tif 000019
【図１８】
2016062776.tif 000020
【図１９】
2016062776.tif 000021
【図２０】
2016062776.tif 000022
【図２１】
2016062776.tif 000023
【図２２】
2016062776.tif 000024
【図２３】
2016062776.tif 000025
【図２４】
2016062776.tif 000026
【図２５】
2016062776.tif 000027